(57)【要約】【課題】  従来から用いられている、雄ネジ体を簡単な差し込み式や、ネジ込み式の樹脂キャップで覆うものは、雄ネジの寸法バラツキに伴い抜け落ちたり、取付時間を多く必要としたりの不具合を有していた。【解決手段】  この発明は、上述の課題を解消するために、樹脂材の押し込みキャップ（３）薄肉内周面（５）を可動容易とし、略３等配位置に肉厚リブ（６）を設け、この肉厚リブ（６）内面に雄ネジ（２）に係合する幅狭雌ネジ（７）を配し、取付時には肉厚リブ（６）が広がって押し込み取り付けでき、挿入後は雄ネジと雌ネジを噛み合わせて保護状態を維持する。【選択図】  図９
2014043867.tif 000002
【特許請求の範囲】
【請求項１】
管体（１）の端部に雄ネジ（２）部を有し、雄ネジ（２）の外周囲及び突出端側面を覆うプラスチック系樹脂素材から成るキャップ（３）に置いて、硬質立壁面（４）とその外周囲から円筒状で側方突出する薄肉円周面（５）を有するキャップ（３）とし、さらに、薄肉円周面（５）内面側に軸心方向に沿った幅狭のリブ（６）を複数本配し、このリブ（６）部に、幅狭雌ネジ（７）を設けたことを特徴とするネジ廻り保護キャップ
【請求項２】
幅狭雌ネジ（７）をリブ（６）部の全長に亘って設けるのではなく、硬質立壁面（４）に対し離れた部位のリブ（６）である突出側リブ（８）部に設けたことを特徴とする請求項１記載のネジ廻り保護キャップ
【発明の詳細な説明】
【技術分野】
【０００１】
本発明は、部材主体部から外方部に突出する、ネジ部分を保護するネジ廻り保護キャップに関する。
【背景技術】
【０００２】
従来のネジ廻り保護キャップは、雄ネジの外周囲と突出端面を保護するために、円筒状のキャップを単に雄ネジ廻りに被せ、接触抵抗によりキャップ抜け落ちを防止していた。
しかし、単純なキャップでは、移動時の接触や振動等により、キャップ抜け落ちを防止できず、雌ネジ部を内周面に設けたキャップ体を雄ネジ廻りに回転取り付けして、キャップの保持力を高めていた。
【０００３】
このような回転式のキャップは、抜け落ちに対して強いものの、雄ネジと雌ネジの勘合開始や、回転取り付けに時間を要し、ネジ部が複数箇所有るものでは、出荷に多大な時間を要していた。
【発明の概要】
【発明が解決しようとする課題】
【０００４】
本発明で解決しようとする課題は、従来保護キャップの上記のような、不具合を少なくし、出荷にも短時間で対応できるキャップを簡単に手に入れようとするものである。
【課題を解決するための手段】
【０００５】
この発明は、前記課題を解決するために、次のような技術的手段を講じている。
まず、請求項１に記載の発明は、管体（１）の端部に雄ネジ（２）部を有し、雄ネジ（２）の外周囲及び突出端側面を覆うプラスチック系樹脂素材から成るキャップ（３）に置いて、硬質立壁面（４）とその外周囲から円筒状で側方突出する薄肉円周面（５）を有するキャップ（３）とし、さらに、薄肉円周面（５）内面側に軸心方向に沿った幅狭のリブ（６）を複数本配し、このリブ（６）部に、幅狭雌ネジ（７）を設けたことを特徴とするネジ廻り保護キャップである。
【０００６】
この構成としたことにより、雄ネジ（２）を突出端に構成する管体（１）の軸心方向に、キャップ（３）の硬質立壁面（４）を外側として押し込むと、薄肉円周面（５）内面側に設けた幅狭のリブ（６）部分が、幅狭雌ネジ（７）と一緒に外周方向に逃げ広がり、雄ネジ（２）を乗越えて取り付け得る。
【０００７】
つぎに、請求項２に記載の発明は、幅狭雌ネジ（７）をリブ（６）部の全長に亘って設けるのではなく、硬質立壁面（４）に対し離れた部位のリブ（６）である突出側リブ（８）部に設けたことを特徴とする請求項１記載のネジ廻り保護キャップである。
【０００８】
この構成としたことにより、幅狭雌ネジ（７）が雄ネジ（２）を乗り越えるに際し、リブ（６）の外周方向に逃げ広がる角度が小さく成るので、キャップ（３）の押し込み力を更に軽くでき、作業能率が向上する。
【発明の効果】
【０００９】
まず、請求項１の発明は、管体（１）の端部に雄ネジ（２）部を有し、雄ネジ（２）の外周囲及び突出端側面を覆うプラスチック系樹脂素材から成るキャップ（３）に置いて、硬質立壁面（４）とその外周囲から円筒状で側方突出する薄肉円周面（５）を有するキャップ（３）とし、さらに、薄肉円周面（５）内面側に軸心方向に沿った幅狭のリブ（６）を複数本配し、このリブ（６）部に、幅狭雌ネジ（７）を設けたことを特徴とするネジ廻り保護キャップである。
【００１０】
つぎに、請求項２の発明は、幅狭雌ネジ（７）をリブ（６）部の全長に亘って設けるのではなく、硬質立壁面（４）に対し離れた部位のリブ（６）である突出側リブ（８）部に設けたことを特徴とする請求項１記載のネジ廻り保護キャップである。
これらの構成としたことにより、部材主体部から外方部に突出する管体（１）突出端部に設けた雄ネジ（２）部を保護するキャップ（３）を、簡単容易に軸心方向に押し込むだけで取り付けることができ、この事は、部品出荷時の保護具組み付け工数を大幅に短縮して、手作業人員の削減ができ、コストダウンできた。
【図面の簡単な説明】
【００１１】
【図１】雄ネジとキャップ部の、全体正面図。
【図２】雄ネジを有する管体の、正面断面図。
【図３】雄ネジを有する管体の、一部断面した平面図。
【図４】第１図例キャップの、正面断面図。
【図５】第１図例キャップの、斜視図。
【図６】第２図例キャップの、正面断面図。
【図７】第２図例キャップの、正面断面図。
【図８】キャップの雌ネジ側を示す、側面図。
【図９】キャップを雄ネジ側に取り付ける、正面断面図。
【図１０】図９の、断面側面図。
【図１１】雌ネジと雄ネジが噛み合った状態を示す、正面断面図。
【発明を実施するための形態】
【００１２】
以下、この発明の実施の形態を、図面に基づいて具体的に説明するが、本願発明の範囲は、以下に説明する実施の形態に限定されるものではない。特段の説明が無い限り、同様の作用、効果が有るものは全て含むものである。
【００１３】
この発明のキャップ（３）は、プラスチック系の合成樹脂を、射出成形で製作したものである。
通常肉厚の平面部である硬質立壁面（４）は、図４・図６で示すように同一の肉厚で、面が変形し難い硬さとしている。そして、図１・図１１で示すように、表面に補強突起リブ（４ａ）を設けておくと、更に強度を高めて変形防止を図れる。
【００１４】
このキャップ（３）は、図５・図７・図８で示すように、硬質立壁面（４）と略同程度の肉厚を有するリブ（６）部を円周上にリブ（６）略３等配で設けており、リブ（６）と隣のリブ（６）との間を薄肉円周面（５）でそれぞれ接続している。
これによりキャップ（３）は、図４・図６で示すように断面「コ」字状としており、また、円筒状の薄肉円周面（５）外周囲には滑り止めの細溝（９）を設けている。
【００１５】
この発明では、円周上にリブ（６）を幅狭で３本程度に減したことを特徴としており、１２本程度に増やしたり全周に亘って繋ぐと、近いものが飲料用ペットボトルのキャップ等で用いられている。
リブ（６）には図５・図７・図８で示すように、リブ幅の半分程度の幅とした幅狭雌ネジ（７）が、外端部から内方に向かって設けられる。
【００１６】
この幅狭雌ネジ（７）は、第１図例のリブ内方まで続いた多数雌ネジ（７ａ）と、第２図例のリブ外端部である突出側リブ（８）にのみ雌ネジを設けた少数雌ネジ（７ｂ）がある。
次に、雄ネジ（２）部分の構成について、説明する。
図２・図３で示すものは、水道メーター（図示せず。）を収納室（１０）に収める、合金鋳物製のケース本体（１１）である。
【００１７】
ケース本体（１１）から外側に向かって、図例では左右方向にそれぞれ管体（１）・（１）を突設している。
管体（１）は、パイプ状の断面円形であって、先端部に雄ネジ（２）を構成している。管体（１）は，水道管やガス管の如く、直状パイプでも良い。
【００１８】
ケース本体（１１）や直状パイプの管体（１）は、半完成品や完成品としての輸送時に、雄ネジ（２）部を痛めないように保護する必要がある。
ここで、雄ネジ部の周囲を覆う、樹脂製保護キャップについて、説明する。
単純には、飲料ペットボトルのキャップ様のものを、雄ネジ廻りに取り付けるのであるが、雄ネジと雌ネジを最初から平行状態に合せて、回転挿入していると、ネジ部の長さにより異なるが、一箇所に５〜６秒の時間を必要としていた。
【００１９】
そこでこの発明では、円周上に３本程度の、所定変形強度を有するリブ（６）を設け、リブ（６）とリブ（６）間を薄肉円周面（５）で接続しているので、図１の状態から矢印「Ａ」で示す方向に，キャップ（３）を雄ネジ（２）廻りに軸心方向移動すると、図９・図１０で示すように、キャップ（３）内の雌ネジ最小径部が、雄ネジ（２）の最大径部を乗り上げて滑り移動し、図１１状態に変化する。
【００２０】
このとき、リブ（６）は外方矢印「Ｂ」方向に向かって広がり、薄肉円周面（５）は内方矢印「Ｃ」方向に向かって狭まる。この動きでキャップ（３）の軸心方向移動が容易となる。
第１図例の多数雌ネジ（７ａ）の場合、リブ（６）の矢印「Ｂ」方向広がり角度が大きくなり、押し込み抵抗は大きい。
【００２１】
これに対し、第２図例の少数雌ネジ（７ｂ）の場合、リブ外端部である突出側リブ（８）にのみ雌ネジを設けており、言葉を代えると、リブ（６）の内端側はヌスミとして径大としているから、雌ネジと雄ネジの移動時接当が早く終わり、矢印「Ｂ」方向広がり角度は小さくなり、小さい力でキャップ取り付け作業を行なえる。
【００２２】
ねじ込み式キャップ取り付けに５〜６秒掛かるのに対し、直線方向押し込み方式では、ネジの噛み合わせを考えることなく、斜め方向に押し込むこともでき、一箇所のキャップ取り付けに１秒も掛からず、手作業における、８０パーセント以上の組み付け工数削減が行なえた。
【００２３】
さらに、第２図例の少数雌ネジ（７ｂ）キャップにすると、押し込み力を小さく軽くできるから、作業者の労働時間を延ばしても、能率低下が少なく、人員を増やすことなく、取り付け作業が行なえる。
雄ネジ（２）の加工寸法精度が、水道管やガス管等のＪＩＳ普通公差の極粗級の場合、外径寸法６ミリを超え３０ミリ以下の場合、プラス・マイナス１ミリまで公差範囲内としている。（ＪＩＳ  B０４０５）
【００２４】
このような、１ミリ程度増減する、公差範囲を有する雄ネジ（２）であっても、この発明のキャップ（３）の構成であれば、リブ（６）を公差内の最小外径の雄ネジ（２）に噛み合うように、先端側を小さい径に合せておけば良い。
こうすることで、単に図例の場合、３本のリブ（６）部の内面に設けた幅狭雌ネジ（７）のみの開閉動で済むから、耐久性の低下の少ない、移動時に自然抜け落ちの少ないキャップ（３）を提供できる。
【符号の説明】
【００２５】
１    管体                      ２    雄ネジ  
３    キャップ                  ４    硬質立壁面  
４ａ  補強突起リブ              ５    薄肉円周面  
６    リブ                      ７    幅狭雌ネジ
７ａ  多数雌ネジ                ７ｂ  少数雌ネジ  
８    突出側リブ                ９    細溝                
１０    収納室                  １１    ケース本体
【図１】
2014043867.tif 000003
【図２】
2014043867.tif 000004
【図３】
2014043867.tif 000005
【図４】
2014043867.tif 000006
【図５】
2014043867.tif 000007
【図６】
2014043867.tif 000008
【図７】
2014043867.tif 000009
【図８】
2014043867.tif 000010
【図９】
2014043867.tif 000011
【図１０】
2014043867.tif 000012
【図１１】
2014043867.tif 000013